(57)【要約】【課題】収容された商品の数量が減ってきた場合でも、商品の把持、取出しを容易に行うことができ、しかも、購入者により同時に複数の商品を取り出してしまうことを防止することのできる商品収容箱を提供する。【解決手段】内部に複数の商品４を収容する箱本体１を設け、この箱本体１の上面中央に商品取出し用開口２を形成し、箱本体１の内部底面に商品４を箱本体１の任意の場所に集めるように傾斜して配置された傾斜板５を配設した。【選択図】　　　図２
2004067201.tif 000002
【特許請求の範囲】
【請求項１】
内部に複数の商品を収容する箱本体を設け、この箱本体の上面中央に商品取出し用開口を形成し、購入者が前記商品取出し用開口から前記商品を把持して取出すようにしてなる商品収容箱において、前記箱本体の内部底面に、前記商品を前記箱本体の任意の場所に集めるように傾斜して配置された傾斜板を配設したことを特徴とする商品収容箱。
【請求項２】
前記箱本体の商品取出し用開口の内側周囲に、前記商品が複数同時に通過することができない寸法に形成された筒状の規制板を配設したことを特徴とする請求項１に記載の商品収容箱。
【請求項３】
前記規制板に、この規制板の下端開口部分を前記箱本体の前記商品が集められている場所に指向させる案内板を配設したことを特徴とする請求項２に記載の商品収容箱。
【発明の詳細な説明】
【０００１】
【発明の属する技術分野】
本発明は商品収容箱に係り、特に、カプセル状の商品等のように球状を有する商品を収容し、購入者がこの商品を把持して取出すことにより商品を購入するための商品収容箱に関する。
【０００２】
【従来の技術】
従来から、例えば、透明または半透明の球状カプセル容器に人形等の玩具を収容したカプセル状の商品が販売されている。
【０００３】
このようなカプセル状の商品を販売するにあたって、従来から、硬貨を入れてハンドルを回すことにより、１つの商品を取り出せるようにしたカプセル商品販売装置がよく知られている。しかしながら、このようなカプセル商品販売装置を用いると、装置を設置するための設備費用が多くかかってしまうという問題がある。
【０００４】
そのため、例えば、上部が解放され内部にカプセル状の商品を収容した商品収容箱を用意し、この商品収容箱を商品販売店のレジ付近に展示を兼ねて設置しておき、購入者がこの商品収容箱の中から商品を任意に選択して購入することができるという極めて簡易な販売手段が好まれている。
【０００５】
しかしながら、購入者が商品収容箱から商品を任意に選択して購入できるようにすると、人気のある商品のみが早く売れてしまい、人気のない商品は売れ残ってしまうという問題がある。また、商品収容箱に収容された商品を外部から視認することができるので、商品の中身がどのような商品であるかを期待する楽しみにも欠けるものとなる。
【０００６】
そのため、従来から、所定の大きさの商品収容箱の上面に商品取出し用開口を形成し、この商品収容箱の内部に複数の商品を収容しておき、この商品取出し用開口から購入者が手を入れて、内部の商品を把持して取出すことにより、商品を購入するようにしていた。
【０００７】
このような従来の商品収容箱によれば、商品収容箱の内部が視認できないので、購入者が商品収容箱から商品をあらかじめ視認した上で選択をすることができず、その結果、商品の人気の有無にかかわらず販売が可能であり、購入者は、商品の中身が何であるかを期待する楽しみも得ることができるものである。
【０００８】
【発明が解決しようとする課題】
しかし、前述の従来の商品収容箱においては、商品収容箱の内部を視認することができないことから、商品収容箱に収容された商品の数量が減ってきた場合に、商品が商品収容箱のどこに位置するのか認識できず、商品の把持、取出しが困難となってしまうという問題を有している。
【０００９】
また、購入者が一度に複数の商品を取り出してしまうおそれもあり、複数の商品を取出してその中から好みの商品を選択するといった不正な購入が行われてしまうおそれもあるという問題を有している。
【００１０】
本発明はこれらの点に鑑みてなされたものであり、収容された商品の数量が減ってきた場合でも、商品の把持、取出しを容易に行うことができ、しかも、購入者により同時に複数の商品を取り出してしまうことを防止することのできる商品収容箱を提供することを目的とする。
【００１１】
【課題を解決するための手段】
前記目的を達成するため請求項１に記載の発明に係る商品収容箱は、内部に複数の商品を収容する箱本体を設け、この箱本体の上面中央に商品取出し用開口を形成し、購入者が前記商品取出し用開口から前記商品を把持して取出すようにしてなる商品収容箱において、前記箱本体の内部底面に、前記商品を前記箱本体の任意の場所に集めるように傾斜して配置された傾斜板を配設したことを特徴とするものである。
【００１２】
この請求項１に記載の発明によれば、箱本体の内部底面に、商品を箱本体の任意の場所に集めるように傾斜して配置された傾斜板を配設するようにしているので、箱本体の内部に収容された商品の数量が減ってきた場合に、この商品が傾斜板に案内されて箱本体の任意の場所に集められるようになっている。その結果、箱本体の内部を視認することができない場合であっても、箱本体の商品取出し用開口から商品が集められた場所に手を伸ばすだけで、商品を容易に把持することが可能となり、最後の１つに至るまで、確実に商品を取り出すことができる。
【００１３】
請求項２に記載の発明に係る商品収容箱は、請求項１において、前記箱本体の商品取出し用開口の内側周囲に、前記商品が複数同時に通過することができない寸法に形成された筒状の規制板を配設したことを特徴とするものである。
【００１４】
この請求項２に記載の発明によれば、箱本体の商品取出し用開口の内側周囲に、商品が複数同時に通過することができない寸法に形成された筒状の規制板を配設しているので、購入者が同時に複数の商品を取出してしまうことを確実に防止することができ、複数の商品を取出してその中から好みの商品を選択するといった不正な購入形態を防止することが可能となる。
【００１５】
請求項３に記載の発明に係る商品収容箱は、請求項２において、前記規制板に、この規制板の下端開口部分を前記箱本体の前記商品が集められている場所に指向させる案内板を配設したことを特徴とするものである。
【００１６】
この請求項３に記載の発明によれば、規制板に、この規制板の下端開口部分を箱本体の商品が集められている場所に指向させる案内板を配設しているので、この案内板により、購入者が商品取出し用開口から手を入れた場合に、この購入者の手を商品が集められている箱本体の場所に案内することができ、箱本体の商品取出し用開口から案内板に沿って手を伸ばすだけで、商品を容易に把持することが可能となる。
【００１７】
【発明の実施の形態】
以下、本発明の実施形態を図１から図９を参照して説明する。
【００１８】
図１から図３は本発明に係る商品収容箱の第１実施形態を示したもので、本実施形態の商品収容箱は、内部が中空とされた直方体形状の箱本体１を有しており、この箱本体１の上面中央には、円形状の商品取出し用開口２が形成されている。この箱本体１の商品取出し用開口２の内側周囲には、円筒形状の規制板３が前記商品取出し用開口２を囲むように取り付けられており、この規制板３の内径寸法は、箱本体１の内部に収容される商品４が２つ以上同時に通過することができない寸法に形成されている。
【００１９】
また、前記箱本体１の内部底面には、傾斜板５が配設されており、この傾斜板５は、本実施形態においては、幅方向における中央部が最も低く、両端部に至るに従って高くなるような傾斜に配置されている。
【００２０】
なお、前記箱本体１の上面は、開閉自在な蓋体として形成するようにしてもよく、このように蓋体を形成することにより、箱本体１の内部への商品４の収容作業を容易にかつ効率よく行うことができる。
【００２１】
次に、本実施形態の作用について説明する。
【００２２】
本実施形態においては、あらかじめ箱本体１の内部に、例えば、複数のカプセル商品４を収容しておく。
【００２３】
そして、この商品４の購入者は、商品取出し用開口２から手を挿入して任意の商品４を把持して商品取出し用開口２から取り出すようになっている。
【００２４】
この場合に、本実施形態においては、箱本体１の内部底面に中央部が最も低くなるように傾斜された傾斜板５を配設するようにしているので、箱本体１の内部に収容された商品４の数量が減ってきた場合に、この商品４が傾斜板５に案内されて箱本体１の中央付近に集められるようになっている。
【００２５】
また、本実施形態においては、商品取出し用開口２の周囲に規制板３を配設するようにしており、この規制板３の内側を複数の商品４が通過することができないので、購入者が同時に複数の商品４を取出してしまうことを確実に防止することができる。
【００２６】
したがって、本実施形態においては、箱本体１の内部底面に傾斜板５を配設し、箱本体１の内部に収容された商品４の数量が減ってきた場合に、この商品４が傾斜板５に案内されて箱本体１の中央付近に集められるようにしているので、箱本体１の内部を視認することができない場合であっても、箱本体１の商品取出し用開口２から真下に手を伸ばすだけで、商品４を容易に把持することが可能となり、最後の１つに至るまで、確実に商品４を取り出すことができる。
【００２７】
また、商品取出し用開口２の周囲に規制板３を配設することにより、購入者が同時に複数の商品４を取出してしまうことを確実に防止することができるので、複数の商品４を取出してその中から好みの商品４を選択するといった不正な購入形態を防止することが可能となる。
【００２８】
また、図４および図５は本発明の第２実施形態を示したもので、本実施形態においても、前記第１実施形態と同様に、傾斜板５は、幅方向における中央部が最も低く、両端部に至るに従って高くなるような傾斜に配置されている。さらに、本実施形態においては、この傾斜方向と直交する方向においても、中央部が最も低く、両側部に至るに従って高くなるような傾斜に配置されており、この傾斜板５を、箱本体１における中心部が最も低くなるように四角錐状の傾斜面となるように形成するようにしたものである。
【００２９】
その他の部分は、前記第１実施形態のものと同様であるため同一部分には同一符号を付してその説明を省略する。
【００３０】
本実施形態においても前記第１実施形態と同様に、あらかじめ箱本体１の内部に複数のカプセル商品４を収容しておき、商品４の購入者が、商品取出し用開口２から手を挿入して任意の商品４を把持して商品取出し用開口２から取り出すようになっている。
【００３１】
そして、本実施形態においては、箱本体１の内部底面に中心部が最も低くなるように傾斜された四角錐状の傾斜板５を配設するようにしているので、箱本体１の内部に収容された商品４の数量が減ってきた場合に、この商品４が傾斜板５に案内されて箱本体１の中心付近に集められるようになっている。
【００３２】
したがって、本実施形態においても、箱本体１の内部底面に傾斜板５を配設し、箱本体１の内部に収容された商品４の数量が減ってきた場合に、この商品４が傾斜板５に案内されて箱本体１の中心付近に集められるようにしているので、箱本体１の内部を視認することができない場合であっても、箱本体１の商品取出し用開口２から真下に手を伸ばすだけで、商品４を容易に把持することが可能となり、最後の１つに至るまで、確実に商品４を取り出すことができる。
【００３３】
また、商品取出し用開口２の周囲に規制板３を配設することにより、購入者が同時に複数の商品４を取出してしまうことを確実に防止することができるので、複数の商品４を取出してその中から好みの商品４を選択するといった不正な購入形態を防止することが可能となる。
【００３４】
また、図６および図７は、本発明の第３実施形態を示したもので、本実施形態においては、傾斜板５は、幅方向の一端部が最も低く他端部が最も高くなるような傾斜に配置されており、さらに、本実施形態においては、前記第２実施形態と同様に、この傾斜方向と直交する方向においても、中央部が最も低く、両側部に至るに従って高くなるような傾斜に配置されている。
【００３５】
なお、本実施形態においては、規制板３は設けられていない。
【００３６】
本実施形態においても、あらかじめ箱本体１の内部に複数のカプセル商品４を収容しておき、商品４の購入者が、商品取出し用開口２から手を挿入して任意の商品４を把持して商品取出し用開口２から取り出すようになっている。
【００３７】
そして、本実施形態においては、箱本体１の内部底面に幅方向の一端部が最も低く、かつ、この傾斜方向に直交する方向における中央部が最も低くなるように傾斜された傾斜板５を配設するようにしているので、箱本体１の内部に収容された商品４の数量が減ってきた場合に、この商品４が傾斜板５に案内されて箱本体１の一側中央付近に集められるようになっている。
【００３８】
したがって、本実施形態においても前記第１および第２実施形態と同様に、箱本体１の内部に収容された商品４の数量が減ってきた場合に、この商品４が傾斜板５に案内されて箱本体１の一側中央付近に集められるようにしているので、箱本体１の内部を視認することができない場合であっても、箱本体１の商品取出し用開口２から箱本体１の一側に手を伸ばすだけで、商品４を容易に把持することが可能となり、最後の１つに至るまで、確実に商品４を取り出すことができる。
【００３９】
さらに、図８および図９は本発明の第４実施形態を示したもので、本実施形態においては、前記第３実施形態と同様に、傾斜板５は、幅方向の一端部が最も低く他端部が最も高くなるような傾斜であって、かつ、この傾斜方向と直交する方向においても、中央部が最も低く両側部に至るに従って高くなるような傾斜に配置されている。
【００４０】
また、本実施形態においては、規制板３が設けられており、この規制板３は、箱本体１の商品取出し用開口２を囲むように配設されている。この規制板３の下端部一側には、規制板３の下端開口部分が傾斜板５の傾斜方向に指向するように傾斜された案内板６が配設されている。
【００４１】
本実施形態においても前記各実施形態と同様に、あらかじめ箱本体１の内部に複数のカプセル商品４を収容しておき、商品４の購入者が、商品取出し用開口２から手を挿入して任意の商品４を把持して商品取出し用開口２から取り出すようになっている。
【００４２】
そして、本実施形態においては、箱本体１の内部底面に幅方向の一端部が最も低く、かつ、この傾斜方向に直交する方向における中央部が最も低くなるように傾斜された傾斜板５を配設するようにしているので、箱本体１の内部に収容された商品４の数量が減ってきた場合に、この商品４が傾斜板５に案内されて箱本体１の一側中央付近に集められるようになっている。
【００４３】
また、本実施形態においては、規制板３にこの規制板３の下端開口部分が傾斜板５の傾斜方向に指向するように傾斜された案内板６を配設するようにしているので、この案内板６により、購入者が商品取出し用開口２から手を入れた場合に、この購入者の手を商品４が集められている箱本体１の一側中央付近に案内するようになっている。
【００４４】
したがって、本実施形態においても前記各実施形態と同様に、箱本体１の内部に収容された商品４の数量が減ってきた場合に、この商品４が傾斜板５に案内されて箱本体１の一側中央付近に集められるようにしており、しかも、本実施形態においては、案内板６により、購入者が商品取出し用開口２から入れた手を商品４が集められている箱本体１の一側中央付近に案内するようになっているので、箱本体１の内部を視認することができない場合であっても、箱本体１の商品取出し用開口２から案内板６に沿って手を伸ばすだけで、商品４を容易に把持することが可能となり、最後の１つに至るまで、確実に商品４を取り出すことができる。
【００４５】
さらに、商品取出し用開口２の周囲に規制板３を配設することにより、購入者が同時に複数の商品４を取出してしまうことを確実に防止することができるので、複数の商品４を取出してその中から好みの商品４を選択するといった不正な購入形態を防止することが可能となる。
【００４６】
なお、本発明は前記各実施形態に限定されるものではなく、傾斜板の傾斜方向はいずれの方向に設置してもよい。また、商品としても、カプセル商品に限るものではなく、例えば、ボール等の球状の商品であって、傾斜板により転がって案内される形状のものであれば、いずれの商品であってもよい。
【００４７】
【発明の効果】
以上述べたように請求項１に記載の発明に係る商品収容箱は、箱本体の内部底面に傾斜板を配設するようにしたので、箱本体の内部に収容された商品の数量が減ってきた場合に、この商品が傾斜板に案内されて箱本体の任意の場所に集められるようになっている。その結果、箱本体の内部を視認することができない場合であっても、箱本体の商品取出し用開口から商品が集められた場所に手を伸ばすだけで、商品を容易に把持することが可能となり、最後の１つに至るまで、確実に商品を取り出すことができる。
【００４８】
請求項２に記載の発明は、箱本体の商品取出し用開口の内側周囲に規制板を配設したので、購入者が同時に複数の商品を取出してしまうことを確実に防止することができ、複数の商品を取出してその中から好みの商品を選択するといった不正な購入形態を防止することが可能となる。
【００４９】
請求項３に記載の発明は、規制板に案内板を配設したので、この案内板により、購入者の手を商品が集められている箱本体の場所に案内することができ、箱本体の商品取出し用開口から案内板に沿って手を伸ばすだけで、商品を容易に把持することが可能となる等の効果を奏する。
【図面の簡単な説明】
【図１】本発明に係る商品収容箱の第１実施形態を示す概略斜視図
【図２】図１に示す商品収容箱の概略縦断面図
【図３】図２のＡ−Ａ線における断面図
【図４】本発明の第２実施形態を示す概略縦断面図
【図５】図４のＢ−Ｂ線における断面図
【図６】本発明の第３実施形態を示す概略縦断面図
【図７】図６のＣ−Ｃ線における断面図
【図８】本発明の第４実施形態を示す概略縦断面図
【図９】図８のＤ−Ｄ線における断面図
【符号の説明】
１　箱本体
２　商品取出し用開口
３　規制板
４　商品
５　傾斜板
６　案内板
【図１】
2004067201.tif 000003
【図２】
2004067201.tif 000004
【図３】
2004067201.tif 000005
【図４】
2004067201.tif 000006
【図５】
2004067201.tif 000007
【図６】
2004067201.tif 000008
【図７】
2004067201.tif 000009
【図８】
2004067201.tif 000010
【図９】
2004067201.tif 000011